【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
膝関節の関節面の欠損部を修復する方法であって、
前記方法が、第１の面及び第２の面を有する型を用意するステップと、
前記型の周囲が前記欠損部を囲むように、前記膝関節の中に前記型を設置するステップと、
前記型の周囲が前記欠損部を囲んだ状態で、前記型の第１の面と前記欠損部との間に修復材を注入して、前記膝関節の中に修復部位を形成するステップと、
を具えることを特徴とする方法。
【請求項２】
さらに、前記関節面の健常部を前記型の第１の面の少なくとも一部に接触させることによって前記型を形成するステップを具えることを特徴とする請求項１に記載の方法。
【請求項３】
前記型を設置するステップが、前記関節面の健常部に前記型を取り外し可能に取り付けるステップを有することを特徴とする請求項１に記載の方法。
【請求項４】
さらに、前記型を潰して前記関節に挿入するステップと、
前記関節の中で前記型を拡げるステップと、
を具えることを特徴とする請求項１に記載の方法。
【請求項５】
さらに、前記型の第１及び第２の面のうちの少なくとも１に連通する真空ポートを介して前記関節の空気を抜くステップを具えることを特徴とする請求項１に記載の方法。
【請求項６】
さらに、前記型に設けられたセンサを介して前記欠損部に前記修復材が充填されていることを検出するステップを具えることを特徴とする請求項１に記載の方法。
【請求項７】
さらに、前記型の中のリザーバから前記関節の中に薬物を放出するステップを具えることを特徴とする請求項１に記載の方法。
【請求項８】
前記修復材を注入するステップが、圧力下で前記修復材を注入するステップを有することを特徴とする請求項１に記載の方法。
【請求項９】
前記修復材を注入するステップが、前記欠損部の中に前記型を通して前記修復材を導入するステップを有することを特徴とする請求項１に記載の方法。
【請求項１０】
前記修復材を注入するステップが、前記欠損部の中に下層にある骨格構造を通して前記修復材を導入するステップを有することを特徴とする請求項１に記載の方法。
【請求項１１】
さらに、前記関節の中の第１の関節面を回復させるステップと、
前記回復した第１の関節面を使用して前記関節の中で第２の関節面を回復させるための型を形成するのを補助するステップと、
を有することを特徴とする請求項１に記載の方法。
【請求項１２】
前記型の第１及び第２の面のうちの一方を第１の関節面に接触するよう配置し、
前記型の第１及び第２の面のうちの他方を対向する第２の関節面に接触するよう配置することを特徴とする請求項１に記載の方法。
【請求項１３】
さらに、前記関節から前記型を取り外すステップを具えることを特徴とする請求項１に記載の方法。
【請求項１４】
さらに、前記関節の中に前記型を残して前記修復部位に成形圧力を加えるステップを具えることを特徴とする請求項１に記載の方法。
【請求項１５】
さらに、前記関節の中にスペーサ人工器官を挿入するステップを具えることを特徴とする請求項１に記載の方法。
【請求項１６】
さらに、非侵襲式画像処理を使用して前記関節を検査し、前記型の形状を決定するステップを具えることを特徴とする請求項１に記載の方法。
【請求項１７】
膝関節の関節面の欠損部を修復する方法であって、
前記方法が、第１の面及び第２の面を有する半硬質の型を準備するステップと、
前記型の周囲が前記欠損部を囲むように、前記膝関節の中に前記型を設置するステップと、
前記関節面の健常部を前記型の第１の面の少なくとも一部に接触させることによって前記型を形成するステップと、
前記型の周囲が前記欠損部を囲んだ状態で、前記型を通して前記型の第１の面の下の前記欠損部の中に修復材を注入して、前記膝関節の中に修復部位を形成するステップと、
を具えることを特徴とする方法。
【請求項１８】
関節面の欠損部を修復する方法であって、
前記方法が、型の第１の面の少なくとも１が全体として堅い第１の面及び第２の面を有する型を用意する準備するステップと、
前記関節の中に挿入するために前記型を潰すステップと、
前記関節の中で前記型を拡げるステップと、
前記型の第１の面の少なくとも一部が前記欠損部と重なるように、前記関節の中に前記型を設置するステップと、
前記型の第１の面の下の前記欠損部の中に修復材を設置して、前記関節の中に修復部位を形成するステップと、
を具えることを特徴とする方法。
【請求項１９】
関節面の欠損部を修復するシステムであって、
前記システムが、第１の面及び第２の面を有し、前記型の第１の面の少なくとも一部が前記欠損部と重なるように前記関節の中に設置されるよう構成された型と、
前記型の第１の面の下の前記欠損部の中に設置されるよう構成され、前記関節の中に修復部位を形成する修復材と、
を具えることを特徴とするシステム。
【請求項２０】
前記型の形状を、前記型の第１の面の少なくとも一部に前記関節面の健常部を接触させることによって決定することを特徴とする請求項１９に記載のシステム。
【請求項２１】
型を前記関節面の健常部に取り外し可能に取り付けることを特徴とする請求項１９に記載のシステム。
【請求項２２】
前記型が弾性率の異なる材料を具えることを特徴とする請求項１９に記載のシステム。
【請求項２３】
前記型が、特定の関節寸法のために全体的に成型された中心形状を有することを特徴とする請求項１９に記載のシステム。
【請求項２４】
前記型が全体として半透明であることを特徴とする請求項１９に記載のシステム。
【請求項２５】
前記型が押し潰し且つ伸長可能であることを特徴とする請求項１９に記載のシステム。
【請求項２６】
前記型の第１及び第２の面の少なくとも一方が全体として堅いことを特徴とする請求項１９に記載のシステム。
【請求項２７】
前記型が、前記型の第１及び第２の面の少なくとも一方に連通する真空ポートを有することを特徴とする請求項１９に記載のシステム。
【請求項２８】
前記型が、前記型の第１及び第２の面の少なくとも一方に連通する充填ポートを有することを特徴とする請求項１９に記載のシステム。
【請求項２９】
前記型が、前記欠損部の充填を判断するためのセンサを有することを特徴とする請求項１９に記載のシステム。
【請求項３０】
前記型が、前記関節の中に放出すべき薬物を貯蔵するよう構成されたリザーバを有することを特徴とする請求項１９に記載のシステム。
【請求項３１】
前記型が散光器を有することを特徴とする請求項１９に記載のシステム。
【請求項３２】
前記修復材が、気泡材料又は活物質のうちの少なくとも一方を有することを特徴とする請求項１９に記載のシステム。
【請求項３３】
前記修復材が、全体として骨に似た性質を具えた第１の部品及び全体として軟骨に似た性質を具えた第２の部品を有する２段階の材料であることを特徴とする請求項１９に記載のシステム。
【請求項３４】
前記型の第１及び第２の面の一方が、第１の関節面と接触するよう構成され、
前記型の第１及び第２の面の他方が、対向する第２の関節面と接触するよう構成されたことを特徴とする請求項１９に記載のシステム。
【請求項３５】
さらに、前記関節の中に配置するよう構成されたスペーサ人工器官を具えることを特徴とする請求項１９に記載のシステム。
【請求項３６】
膝関節の第１の関節面及び第２の関節面の欠損部を修復する方法であって、
前記方法が、第１の面及び第２の面を有する型を用意するステップと、
前記型の周囲が前記第１の関節面の前記欠損部を囲むように、前記膝関節の中に前記型を設置するステップと、
前記型の周囲が前記欠損部を囲んだ状態で、前記型の内面と前記欠損部のとの間に修復材を注入して、回復した第１の関節面を形成するステップと、
前記回復した第１の関節面を用いて前記第２の関節面の欠損部を修復するための型の形成を補助するステップと、
を具えることを特徴とする方法。